(57)【特許請求の範囲】
【請求項１】
信号を受信する受信回路（１３ａ，１３ｂ）を備え、該受信回路（１３ａ，１３ｂ）が受信した信号に基づき警報を出力すべくなしてある盗難防止装置（１）において、
前記受信回路は（１３ａ，１３ｂ）、第１受信回路（１３ａ）と第２受信回路（１３ｂ）とを備え、前記第１、第２受信回路（１３ａ，１３ｂ）の夫々が受信する信号の大きさを調整可能になしてあり、
前記第１受信回路（１３ａ）は一方向に巻いた第１コイル（１０６ａ）を備え、前記第２受信回路（１３ｂ）は他方向に巻いた第２コイル（１０６ｂ）を備え、
前記第１コイル（１０６ａ）と第２コイル（１０６ｂ）とを夫々のコイル（１０６ａ，１０６ｂ）の内側へ向けて摺動可能に連結する連結部（１１０）を備えることを特徴とする盗難防止装置（１）。
【請求項２】
パルス信号を生成する信号生成回路（１１）と、該信号生成回路（１１）により生成したパルス信号を入力すべくなしてあり、入力されたパルス信号に応じた信号を発信する発信回路（１２）とを更に備え、
前記信号生成回路（１１）は、生成するパルス信号のパルス幅を変更可能になしてあり、前記信号生成回路（１１）により生成されたパルス信号を変調する信号処理回路を備えることを特徴とする請求項１に記載の盗難防止装置（１）。
【請求項３】
請求項１又は請求項２に記載の盗難防止装置（１）と、
該盗難防止装置（１）の発信回路（１２）から発信された信号を受信する受信回路（２１）、及び該受信回路（２１）が受信した信号の解析を行う信号解析部（２５）を備え、盗難を防止すべき対象物への取付け状態又は前記信号解析部（２５）による解析結果に基づき警報を出力すべくなしてある盗難防止タグ（２）と
を備えることを特徴とする盗難防止システム（１，２）。
【請求項４】
前記盗難防止タグ（２）は、前記信号解析部（２５）の解析結果に基づき、受信した信号に対する応答信号を生成する信号生成部（２９）と、該手段により生成された応答信号に応じた信号を発信する信号発信回路（３０）とを備えることを特徴とする請求項３に記載の盗難防止システム（１，２）。
【発明の詳細な説明】
【０００１】
【発明の属する技術分野】
本発明は、対象物の盗難を防止すべく警報を出力する盗難防止タグと該盗難防止装置が警報を出力するための所定信号を発信する盗難防止装置とを備える盗難防止システム、該盗難防止システムに利用される盗難防止装置に関する。
【０００２】
【従来の技術】
従来、コンパクトディスク、ソフトウェア・パッケージ等の商品を陳列して販売する販売店では、販売店の出入口に設置したゲートパネルと商品に取付けた盗難防止タグとから構成される盗難防止システムを採用していることが多い。盗難防止タグが商品から無理に引き剥がされた場合、盗難防止タグが警報を出力することによって当該商品の盗難を防止する。また、盗難防止タグが取付けられている商品を販売店から持出そうとして、出入り口に設置しているゲートパネルに近付いた場合、ゲートパネルから常時、発信されている信号を盗難防止タグが受信して、警報を出力し、商品の盗難を防止する。更に、盗難防止タグが前記信号を受信した場合、受信した信号に対する応答信号を発し、この応答信号を受信したゲートパネル側でも警報を発することによって、商品の盗難をより確実に防止するようにしている。
【０００３】
図１２は、従来の盗難防止システムを説明する模式図である。
【０００４】
図中４０，４０は、販売店の出入口に対向配置させたゲートパネルであり、ゲートパネル４０，４０は、常時、所定信号を適宜領域に発信している。
ゲートパネル４０，４０は、所定信号を生成する信号生成回路、該信号生成部にて生成された信号を発信するためのアンテナ出力部、信号生成回路及びアンテナ出力部に電力を供給する電源等を備えている。また、ゲートパネル４０，４０には、盗難防止タグ５０からの応答信号を受信するためのアンテナ入力部、受信した応答信号が所定の信号であるか否かを判断する信号処理部、該信号処理部が所定の信号であると判断した場合、警報を出力する警報出力部を備えている。
【０００５】
盗難防止タグ５０は、ゲートパネル４０，４０から発信された信号を受信するアンテナ入力部、該アンテナ入力部にて受信した信号が所定信号であるか否かを判断する信号処理部、盗難を防止すべき商品に対する取付け状態を検出する検出部、所定信号を受信した場合、又は商品から不適当に取外されたことを検出した場合に警報を出力する警報出力部、及び電源等を内蔵している。また、所定信号を受信したことに対する応答信号を生成する信号生成回路、該信号生成回路により生成された信号を発信するアンテナ出力部を備えている。
【０００６】
ゲートパネル４０，４０から常時、発信されている信号は、例えば、２２ｋＨｚの連続波であり、この信号を盗難防止タグ５０にて１００ｍｓ連続して受信した場合、警報を出力するようにしている。一方、前記信号を受信した盗難防止タグ５０は、信号を受信したことに対する応答として、応答信号をゲートパネル４０，４０へ発信する。
【０００７】
ゲートパネル４０から発信する信号として２０ｋＨｚの連続波を用いる場合は、発信する信号の周波数と受信する信号の周波数とを異ならせることによって、ゲートパネル４０，４０のアンテナ出力部から発信される信号がゲートパネル４０，４０のアンテナ入力部に影響を及ぼすことはなく、アンテナ入力部とアンテナ出力部とを並設した場合であっても、アンテナ入力部の受信性能に影響を与えることはなかった。
【０００８】
しかしながら、百貨店又は大型小売店では、ひとつのフロア内にメインブース、及びメインブースから独立したサブブースが混在する場合があり、このような場合、メインブース及びサブブースにそれぞれゲートパネル４０，４０を設置することが要求される。したがって、前述のような単一の信号を用いて盗難防止タグを発報させるようにした場合、例えば、メインブースで買物をしている客が、盗難防止タグ５０の取付けられた商品を持ったまま、サブブースの出入口に設置してあるゲートパネル４０，４０に近付いた場合、不用意に警報が発せられるという問題が生じていた。
【０００９】
そこで、ゲートパネル４０，４０からは、識別コードを埋込んだ信号を発信して、盗難防止タグ５０にて受信した信号に含まれる識別コードと予め盗難防止タグ５０に記憶させている識別コードが一致している場合にのみ、警報を出力するようにしている。この場合、メインブースで使用する盗難防止タグ５０及びゲートパネル４０，４０に割当てる識別コードと、サブブースで使用する盗難防止タグ５０及びゲートパネル４０，４０に割当てる識別コードとを異ならせることによって、前述のような誤作動防止することができる。
【００１０】
【発明が解決しようとする課題】
しかしながら、識別コードを付加するためにアンテナ出力部から発信する信号をバースト信号のような変調信号とした場合には、信号の立上がり部分又は信号の立下がり部分に様々な周波数の信号が混入するため、ゲートパネル４０，４０のアンテナ出力部から発信する信号自体が、ゲートパネル４０，４０のアンテナ入力部に対するノイズ源となり、受信性能に影響を与える。
【００１１】
また、近年、前述のようなパルス信号方式の盗難防止システムが、心臓ペースメーカに対して悪影響を及ぼすのではないかとの指摘がなされている。すなわち、アンテナ出力部から発信される信号の立上がり部分、及び立下がり部分で、大きな電磁界が発生するためであり、パルス信号の立上がり部分、及び立下がり部分における電磁界の発生強度を抑制することができる盗難防止システムの開発が望まれていた。
【００１２】
本発明は斯かる事情に鑑みてなされたものであり、２つの受信部からなる受信回路を備え、夫々の受信部が受信する信号の大きさを調整可能とする構成とすることにより、ノイズに対する信号の受信性能が良い盗難防止装置を提供することを目的とする。
【００１３】
本発明の他の目的は、受信回路が互いに逆方向に巻いた２つのコイルを有しており、これらのコイルを連結する連結部をコイルの内側へ向けて摺動可能にしていることにより、受信部にて生じるノイズの量を減じることができる盗難防止装置を提供することにある。
【００１４】
本発明の更に他の目的は、発信回路に入力するパルス信号のパルス幅を変更できるようにしてあり、しかもそのパルス信号を変調する構成とすることにより、パルス信号の立上がり部分、及び立下がり部分で電磁界の発生強度を抑えることができ、しかも、受信部にてノイズの量を減じることができる盗難防止装置を提供することにある。
【００１５】
本発明の更に他の目的は、盗難防止タグから発信される応答信号の受信性能が高い盗難防止システムを提供することにある。
【００１６】
【課題を解決するための手段】
第１発明に係る盗難防止装置は、信号を受信する受信回路を備え、該受信回路が受信した信号に基づき警報を出力すべくなしてある盗難防止装置において、前記受信回路は、第１受信回路と第２受信回路とを備え、前記第１、第２受信回路の夫々が受信する信号の大きさを調整可能になしてあり、前記第１受信回路は一方向に巻いた第１コイルを備え、前記第２受信回路は他方向に巻いた第２コイルを備え、前記第１コイルと第２コイルとを夫々のコイルの内側へ向けて摺動可能に連結する連結部を備えることを特徴とする。
【００１８】
第２発明に係る盗難防止装置は、パルス信号を生成する信号生成回路と、該信号生成回路により生成したパルス信号を入力すべくなしてあり、入力されたパルス信号に応じた信号を発信する発信回路とを更に備え、前記信号生成回路は、生成するパルス信号のパルス幅を変更可能になしてあり、前記信号生成回路により生成されたパルス信号を変調する信号処理回路を備えることを特徴とする。
【００２１】
第３発明に係る盗難防止システムは、前述した盗難防止装置と、該盗難防止装置の発信回路から発信された信号を受信する受信回路、及び該受信回路が受信した信号の解析を行う信号解析部を備え、盗難を防止すべき対象物への取付け状態又は前記信号解析部による解析結果に基づき警報を出力すべくなしてある盗難防止タグとを備えることを特徴とする。
【００２２】
第４発明に係る盗難防止システムは、前記盗難防止タグは、前記信号解析部の解析結果に基づき、受信した信号に対する応答信号を生成する信号生成部と、該手段により生成された応答信号に応じた信号を発信する信号発信回路とを備えることを特徴とする。
【００２３】
本発明にあっては、信号を受信する受信回路は、２つの受信回路からなり、その２つの受信回路が受信する信号の大きさを調整することができる。したがって、２つの受信回路で共通したノイズを受信している場合、２つの受信回路が受信する信号の大きさが同じになるように調整して、受信した信号の平均又は差分をとることによって、ノイズのみを相殺することができ、本来受信すべき信号のみ抽出することができる。
【００２４】
本発明にあっては、互いに逆向きに巻いた２つのコイルを有する受信回路を備え、その２つのコイルを連結する連結部をコイルの内側へ向けて摺動させることができる。そのため、２つのコイルの連結部を摺動させることにより、それらのコイルで受信する信号の大きさを容易に調整することができ、しかも、受信した信号の差分をとることによって、各コイルに共通するノイズを相殺することができるので、本来受信すべき信号のみを抽出することができる。
【００２５】
本発明にあっては、変調信号を発信するようにしているため、その変調周期によって信号を識別することができる。また、発信回路に入力するパルス信号のパルス幅を変更することができるようにしているため、例えば、変調信号の立上がり近傍に対応するパルス信号のパルス幅を徐々に広くしてゆくことで、一定のパルス幅を有するパルス信号を入力した場合と比べて、発信回路から発信する信号の振幅の時間変化を緩やかに変化させることができる。その結果、受信回路では、発信回路が発信する信号により生じるノイズを減少させることができ、受信性能を向上することができる。
また、パルス幅を調整して、発信回路から発信する信号の立上がり近傍、及び立下がり近傍を緩やかな波形にするため、電磁界の発生強度を抑えることができ、心臓ペースメーカ等の他の機器に対して影響を与えにくくすることが可能となる。
【００２６】
本発明にあっては、盗難防止タグから発信される応答信号を盗難防止装置の受信回路にて受信するようにしている。受信回路は、２つの受信回路からなり、その２つの受信回路が受信する信号の大きさを調整することができるため、受信回路におけるノイズを減少することができ、受信性能を向上することができる。その結果、盗難防止効果を高めることができる。
【００２７】
【発明の実施の形態】
以下、本発明をその実施の形態を示す図面に基づいて具体的に説明する。
図１は本発明の盗難防止システムの使用状態を説明する模式図である。
図中１，１は、販売店の出入口に対向配置させたゲートパネルであり、ゲートパネル１，１は、常時、所定信号を適宜領域に発信している。
ゲートパネル１，１は、後述するように、所定信号を生成する信号生成回路１１、該信号生成回路１１にて生成された信号を発信するためのアンテナ出力部１２、信号生成回路１１及びアンテナ出力部１２に電力を供給する電源等を備えている。また、ゲートパネル１，１には、盗難防止タグ２からの応答信号を受信するための２つのアンテナ入力部（第１アンテナ入力部１３ａ、及び第２アンテナ入力部１３ｂ）、受信した応答信号が所定の信号であるか否かを判断する信号処理部１４、該信号処理部１４が所定の信号であると判断した場合、警報を出力するブザー１６及びＬＥＤ１７を備えている。
【００２８】
盗難防止タグ２は、後述するように、ゲートパネル１，１から発信された信号を受信するアンテナ入力部２１、該アンテナ入力部２１にて受信した信号が所定信号であるか否かを判断する信号処理部２５、盗難を防止すべき商品Ｔに対する取付け状態を検出する検出部２４、所定信号を受信した場合、又は商品から不適当に取外されたことを検出した場合に警報を出力するブザー２７及びＬＥＤ２８、及び電源等を内蔵している。また、所定信号を受信したことに対する応答信号を生成する信号生成回路２９、該信号生成回路２９により生成された信号を発信するアンテナ出力部３０を備えている。
【００２９】
何者かが盗難防止タグ２を取付けた商品を持ち去り、出口から出ようとして、ゲートパネル１，１から発せられる信号の到達範囲内に入った場合、盗難防止タグ２のアンテナ入力部２１は、その信号を受信し、信号処理部２５が受信した信号を所定信号であると判断した場合、警報が出力されるようになっている。
【００３０】
図２は、ゲートパネル１の正面図、図３は、ゲートパネル１の内部構造を示した模式図である。
ゲートパネル１は、長方形の基板１０１に、パルス信号を生成する信号生成回路１１、ブザー１６及びＬＥＤ１７を駆動させる駆動部１５（図５参照）、及び電源等を固定する制御板１２０、信号を発信する発信用アンテナ１０５、及び２つの受信用アンテナ１０６ａ、１０６ｂを取付けてなるものであり、土台部１０３によって販売店の床面に立設することができるようになっている。また、基板１０１より少し大きな２枚の外蓋１０２、１０２は、ボルト及びナット等の固定具を用いて、基板１０１を挟持するように固定することができ、送信用アンテナ１０５及び受信用アンテナ１０６ａ、１０６ｂ、並びに制御板１２０等をゲートパネル１の外側から目視できないようにしている。
【００３１】
送信用アンテナ１０５は、基板１０１と略同じ幅を有する長方形の形に銅線を多数回巻いたものであり、銅線の端部は、パルス信号を生成する信号生成回路１１に接続されている。銅線は、筒状の保護ケース１０７，１０７，…の中を通してあり、基板１０１の一方の面に保護ケース１０７を接着固定することで、送信用アンテナ１０５を基板１０１に取付けている。
２つの受信用アンテナ１０６ａ，１０６ｂは、夫々、略同一の台形状に銅線を多数回巻いたものであり、夫々の銅線の両端は、受信した信号が所定の信号であるか否かを判断する信号処理部１４に接続されている。また、２つの受信用アンテナ１０６ａ，１０６ｂは、互いに接するように、上下に配置して基板１０１の他方の面に取付けている。両受信用アンテナ１０６ａ，１０６ｂが接している部分の銅線は、基板１０１の対向する２辺に対して所要の角度を持ち、基板１０１の内側を横切るよう取付けている。その中央近傍で結束部材１１０により２つの受信用アンテナ１０６ａ，１０６ｂを連結している。
【００３２】
図４は、２つの受信用アンテナ１０６ａ，１０６ｂの連結部分の構成を示す模式図である。
基板１０１には、２つの受信用アンテナ１０６ａ，１０６ｂが接している方向に対して略垂直な方向に長方形状の開孔部１０８を設けている。結束部材１１０とＯリング１１１とで、基板１０１の両面からこの開孔部１０８を挟み込むようにし、蝶番１０９を通して、この蝶番１０９を締めることによって、両受信用アンテナ１０６ａ，１０６ｂを所要の位置に固定する。
蝶番１０９を緩めることによって、開孔部１０８の長手方向に結束部材１１０を摺動させることができ、両受信用アンテナ１０６ａ，１０６ｂの固定位置を調整することが可能となる。したがって、送信用アンテナ１０５から所定の信号を発信して、両受信用アンテナ１０６ａ，１０６ｂにて生じるノイズの大きさを観測し、夫々で観測したノイズの大きさの差分値が最小となるような位置で結束部材１１０を固定することによって、送信用アンテナ１０５からの信号の影響を最も小さくすることができる。
【００３３】
図５は、本発明の盗難防止システムのブロック図である。
図中１は、販売店の出入口近傍に設置するゲートパネルであり、２は、商品に取付けられ、ゲートパネル１からの信号を受信して警報を出力すると共に、ゲートパネル１に対して応答信号を発信する盗難防止タグである。
ゲートパネル１は、所定周期（例えば、２２ｋＨｚ）のパルス信号を生成する信号生成回路１１、及び信号生成回路１１から入力された信号に応じた信号を発信するアンテナ出力部１２を備えている。
信号生成回路１１では、所定周期のパルス信号を生成すると共に、バースト制御信号を生成し、パルス信号及びバースト制御信号に基づいて後述するようなコード信号を生成することによって、アンテナ出力部１２から発信する信号に識別性を持たせる。また、信号生成回路１１は、コード信号を構成しているパルス信号のパルス幅を連続的に調整し、コード信号の立上がり近傍及び立下がり近傍で、パルス幅を狭めるようにしている。
【００３４】
ゲートパネル１は、更に、盗難防止タグ２からの応答信号を受信するための第１アンテナ入力部１３ａ及び第２アンテナ入力部１３ｂを備えている。第１アンテナ入力部１３ａは、前述の受信用アンテナ１０６ａと受信した信号を所定信号に変換する回路とを備えている。同様に、第２アンテナ入力部１３ｂは、受信アンテナ１０６ｂと受信した信号を所定信号に変換する回路とを備えている。
アンテナ入力部１３ａ及び第２アンテナ入力部１３ｂが受信した信号は、所定信号に変換された後、信号処理部１４に入力される。信号処理部１４は、信号の周波数等により、入力された信号が所定の信号であるか否かを判断する。信号処理部１４が、所定の信号であると判断した場合には、駆動部１５に警報信号を与え、ブザー１６及びＬＥＤ１７を駆動させる。
【００３５】
盗難防止タグ２は、ゲートパネル１のアンテナ出力部１２から出力される信号を受信し、コード信号に変換して出力するアンテナ入力部２１、アンテナ入力部２１から与えられたコード信号を識別するコード識別部２２を備えている。信号処理部２５は、コード識別部２２から入力された信号に基づき、駆動部２６に警報信号を与え、ブザー２７及びＬＥＤ２８を駆動させる。
また、盗難防止タグ２は、盗難を防止すべき商品Ｔへの取付け状態を検出する検出部２４を備えている。検出部２４は、例えば、プッシュスイッチからなるものであり、盗難防止タグ２の表面に設けられた穴から突出可能に設けてあるレバーと該レバーを盗難防止タグ２の外側へ付勢するコイルバネ等の弾性体とを備えている。盗難を防止すべき対象物に盗難防止タグ２を正常に取付けている場合、レバーは盗難防止タグ２の内部へ押し込められて、プッシュスイッチは開路し、対象物から取外された場合、レバーは弾性体の弾性力により盗難防止タグ２の外側へ突出して、閉路するようにしている。プッシュスイッチが閉路した場合、入力部２３から与えられた信号に基づき、信号処理部２５は、警報信号を駆動部２６に与え、ブザー２７及びＬＥＤ２８を駆動させる。
【００３６】
更に、アンテナ入力部２１で受信した信号をコード識別部２２が所定の信号であるか否かを判断した結果、所定の信号であると判断した場合には、信号処理部２５に信号を入力して、ブザー２７及びＬＥＤ２８を駆動させると共に、信号生成回路２９により応答信号を生成し、アンテナ出力部３０から信号を発信する。応答信号としては、例えば、ゲートパネル１の信号生成回路１１で生成するパルス信号と周波数が異なるパルス信号を生成する。
【００３７】
図６及び図７は、ゲートパネル１が発信するコード信号の構成例を説明する説明図である。
コード信号は、スタートビット及びデータビットからなる１４０ｍｓｅｃの長さのフレームからなり、ゲートパネル１からは、常時、コード信号と５０ｍｓｅｃの長さのＬレベルのフレームとを交互に発信している。
コード信号の先頭にあるスタートビットは、２０ｍｓｅｃの長さであり、立ち上がりから１５ｍｓｅｃがＨレベルであり、残りの５ｍｓｅｃがＬレベルである。データビットは、データビット”０”、及びデータビット”１”の組み合わせにより構成される。データビット”０”は、８ｍｓｅｃの長さであり、立ち上がりから２ｍｓｅｃがＨレベル、残りの６ｍｓｅｃがＬレベルである。データビット”１”は、１２ｍｓｅｃの長さであり、立ち上がりから８ｍｓｅｃがＨレベルであり、残りの４ｍｓｅｃがＬレベルである。
【００３８】
このコード信号は、スタートビットＳ０とそれに続くデータビットＤ０〜Ｄ１１とで構成されいる。データビットＤ０〜Ｄ１１の内、データビットＤ０〜Ｄ５がデータコードであり、これらは、インタリーブされて、Ｄ２Ｄ３Ｄ４Ｄ５Ｄ０Ｄ１の順に発信される。
データビットＤ６〜Ｄ１１は、図５に示すように、データコードＤ０〜Ｄ５のビット反転したものであり、受信側で更に反転されて、Ｄ０からＤ５までのデータコードとＤ６からＤ１１までのデータコードとが等しい場合に、正確に信号を受信したものと確認するためのものである。
例えば、データコードＤ０からＤ５が”０１０１０１”である場合、コード信号は、”Ｓ０  ０１０１０１１０１０１０”となる。
【００３９】
前述のスタートビット及びデータビットのＨレベルの信号は、例えば、２２ｋＨｚのパルス信号により構成されている。
図８は、スタートビットの構成例を説明する説明図である。
前述したようにスタートビットは、１５ｍｓｅｃのＨレベルの信号及び５ｍｓｅｃのＬレベルの信号から構成される（図８（ａ））。
Ｈレベルの信号は、２２ｋＨｚのパルス信号により構成されている。図８（ｂ）に示すように、スタートビットを構成しているパルス信号は、スタートビットの立上がり部分のパルス幅を最も狭くして、徐々にパルス幅を増加させる。同様に、スタートビットの立下げ部分も徐々にパルス幅を減少させている。例えば、パルス幅が最小となるスタートビットの立上がり部分及び立下げ部分は、パルス信号のデューティを１０％にする。一方、パルス幅が最大になる部分では、パルス信号のデューティを５０％としている。
また、スタートビットのみならず、データビットを示す信号も、同様に、信号の立上がり部分から徐々にパルス幅を増加させてゆく共に、立下がり部分に向けて、パルス幅を減少させている。
【００４０】
図９は、アンテナ出力部１２の詳細を示すブロック図である。
アンテナ出力部１２は、ブリッジ回路からなり、その４つの入力端子ｔ１，ｔ２，ｔ３，ｔ４に信号生成回路１１からの信号が入力されることによって、入力された信号に応じた出力電圧がコイルＬに加わり、信号が発信される。
入力端子ｔ１とｔ３との間に出力用電源Ｖｏが接続されており、入力端子ｔ２とｔ４との間は、接地されている。また、入力端子ｔ１とｔ２との間にはコイルＬの一方の端子が接続されており、入力端子ｔ３とｔ４との間にはコイルＬの他方の端子が接続されている。
また、信号生成回路１１からの接続線は、入力端子ｔ１及びｔ４に同一の信号が入力されるように接続されており、入力端子ｔ２及びｔ３に同一の信号が入力されるように接続されている。
【００４１】
図１０は、アンテナ出力部１２に入力される信号の一例を示す波形図である。
図１０（ａ）に示すように、信号Ｓ１は、入力端子ｔ１及びｔ４（又は、入力端子ｔ２及びｔ３）に入力する信号であり、周期ｆ（例えば、２２ｋＨｚ）の方形波により構成されている。同様に、信号Ｓ２は、周期ｆ、信号Ｓ１と逆位相の方形波により構成され、入力端子ｔ２及びｔ３（又は、入力端子ｔ１及びｔ４）に入力される。
各入力端子ｔ１，ｔ２，ｔ３，ｔ４に信号Ｓ１及びＳ２が入力された場合、コイルＬにかかる電圧は、最大電圧Ｖin、周期ｆを有するパルス電圧となる（図１０（ｃ））。また、この場合、コイルＬに流れる電流は、振幅Ｉin、周期ｆを有する略正弦波形となる。
従って、アンテナ出力部１２から発信される信号は、振幅Ｉinに比例した振幅を有する信号となる。
【００４２】
一方、周期ｆを変更せずに、パルス幅を狭めた信号Ｓ１’及びＳ２’（図１０（ｅ）及び（ｆ））をアンテナ出力部１２に入力した場合、コイルＬにかかる電圧は、周期及び最大電圧Ｖin’が変化せず、パルス幅のみ小さくなる。この場合、コイルＬに流れる電流の振幅Ｉin’は小さくなり、その結果、アンテナ出力部１２から発信される信号の振幅も減少することになる。
本発明でアンテナ出力部１２に入力するコード信号は、信号の立上がり部分でパルス幅を徐々に増加させているため、アンテナ出力部１２から発信される信号の波形は、その振幅が緩やかに変化したものであり、電磁界の発生強度を抑制することができる。したがって、第１アンテナ入力部１３ａ、第２アンテナ入力部１３ｂ、及び心臓ペースメーカ等の他の機器に与える影響を和らげることができる。
【００４３】
図１１は、盗難防止タグが受信した信号を処理する手順を示したフローチャートである。
【００４４】
アンテナ入力部２１は、盗難防止タグ２が設置された区域の出入口等に設置されたゲートパネル１からの信号を受信している間のみ、ＨレベルのＬＦＩＮ信号を作成することにより復調する。
まず、アンテナ入力部２１は、何らかの信号を受信したか否かを判断する（ステップＳ１）。信号を受信していない場合（Ｓ１：ＮＯ）、信号を受信するまで待機する。
信号を受信した場合（Ｓ１：ＹＥＳ）、受信した信号の振幅が所定値より大きいか否かを判断する（ステップＳ２）。受信した信号の振幅が所定値より小さい場合（Ｓ２：ＮＯ）、処理をＳ１へ戻す。
【００４５】
受信した信号の大きさが所定値より大きい場合（Ｓ２：ＹＥＳ）、アンテナ入力部２１は、信号の立上がりから例えば５秒毎のレベルを検出することにより、ＬＦＩＮ信号のＨレベル部分（ＬＦＩＮ（Ｈ））が、１２ｍｓｅｃより長いか否かを判断し（ステップＳ３）、長くない場合（Ｓ３：ＮＯ）、無意味な信号として無視する。長い場合（Ｓ３：ＹＥＳ）、このＬＦＩＮ信号をスタートビットＳ０として、データビットの読み込みを開始する（ステップＳ４）。
【００４６】
アンテナ入力部２１は、復調したＬＦＩＮ信号の長さを、例えば立ち上がりから５秒毎のレベルを検出することにより比較する。
アンテナ入力部２１は、読み込んだデータビットのＬＦＩＮ（Ｈ）の長さが２０ｍｓｅｃより長いか否かを比較し（ステップＳ５）、長い場合（Ｓ５：ＹＥＳ）、無意味な信号として、以下の読み込みを中止する。また、読み込んだデータビットのＬレベルのＬＦＩＮ信号（ＬＦＩＮ（Ｌ））の長さが、２０ｍｓｅｃより長いか否かを判断し（ステップＳ６）、長い場合（Ｓ６：ＹＥＳ）、無意味な信号として、以下の読み込みを中止する。
アンテナ入力部２１は、また、データビットの読み込み中に、新たなスタートビットＳ０を確認した場合は、すでに読み込んだデータビットを廃棄して、新たにデータビットの読み込みを開始する。
【００４７】
アンテナ入力部２１は、データビットを１２ビット読み込んだ場合、データビットの読み込みを完了する（ステップＳ７）。次いで、アンテナ入力部２１は、読み込んだデータビットのＤ０〜Ｄ５とＤ６〜Ｄ１１の反転信号とが一致するか否かを判断し（ステップＳ８）、一致していない場合（Ｓ８：ＮＯ）、正確に受信できなかったとして、読み込んだデータビットを廃棄する。一致する場合（Ｓ８：ＹＥＳ）、読み込んだデータビットのＬＦＩＮ信号の列をコードとしてコード識別部２２へ与える。
コード識別部２２は、与えられたコードを識別し（ステップＳ９）、所定のコードであるか否かを判断する（ステップＳ１０）。所定のコードでない場合（Ｓ１０：ＮＯ）、異なる種類のコード信号であると判断して、処理をＳ１へ戻す。
所定のコード信号であると判断した場合（Ｓ１０：ＹＥＳ）、信号処理部２５に警報信号を与えることによって、駆動部２６を駆動させ、ブザー２７及びＬＥＤ２８を駆動させて警報を出力する（ステップＳ１１）。
【００４８】
本実施の形態では、プッシュスイッチによって、商品Ｔへの取付け状態を検出するようになした盗難防止タグ２について説明したが、本発明は、これに限らず、ワイヤによって、盗難防止タグ２を衣類等の商品Ｔに取り付けるようにした盗難防止タグも利用することが可能である。
この場合、盗難防止タグ２の筐体の一面には、ワイヤの差込み部を差込む２つの差込み穴が開設してあり、両差込み穴に、導電性のワイヤの両端部が着脱可能に嵌合してある。商品Ｔに取付ける場合、上着又はシャツのボタン穴、又は衣類の襟元に設けた商品タグ等、商品Ｔの取付け部位にワイヤを挿通させた後、ワイヤの両端を盗難防止タグの両差込穴に挿入させる。このワイヤは、常閉接点として機能しており、盗難防止タグを商品Ｔから取り外すべく、盗難防止タグ２の差込み穴からワイヤを抜出した場合、又はワイヤを切断した場合、盗難防止タグ２の検出部２４がそれを検出し、警報を出力するようにしている。
【００４９】
尚、特許請求の範囲の項に図面との対照を便利にする為に符号を記すが、該記入により本発明は添付図面の構造に限定されるものではない。
【００５０】
【発明の効果】
以上、詳述したように、本発明による場合は、信号を受信する受信回路は、２つの受信回路からなり、その２つの受信回路が受信する信号の大きさを調整することができる。したがって、２つの受信回路で共通したノイズを受信している場合、２つの受信回路が受信する信号の大きさが同じになるように調整して、受信した信号の平均又は差分をとることによって、ノイズのみを相殺することができ、本来受信すべき信号のみ抽出することができる。
【００５１】
本発明による場合は、互いに逆向きに巻いた２つのコイルを有する受信回路を備え、その２つのコイルを連結する連結部をコイルの内側へ向けて摺動させることができる。そのため、２つのコイルの連結部を摺動させることにより、それらのコイルで受信する信号の大きさを容易に調整することができ、しかも、受信した信号の差分をとることによって、各コイルに共通するノイズを相殺することができるので、本来受信すべき信号のみを抽出することができる。
【００５２】
本発明による場合は、変調信号を発信するようにしているため、その変調周期によって信号を識別することができる。また、発信回路に入力するパルス信号のパルス幅を変更することができるようにしているため、例えば、変調信号の立上がり近傍に対応するパルス信号のパルス幅を徐々に広くしてゆくことで、一定のパルス幅を有するパルス信号を入力した場合と比べて、発信回路から発信する信号の振幅の時間変化を緩やかに変化させることができる。その結果、受信回路では、発信回路が発信する信号により生じるノイズを減少させることができ、受信性能を向上することができる。
また、パルス幅を調整して、発信回路から発信する信号の立上がり近傍、及び立下がり近傍を緩やかな波形にするため、電磁界の発生強度を抑えることができ、心臓ペースメーカ等の他の機器に対して影響を与えにくくすることが可能となる。
【００５３】
本発明による場合は、盗難防止タグから発信される応答信号を盗難防止装置の受信回路にて受信するようにしている。受信回路は、２つの受信回路からなり、その２つの受信回路が受信する信号の大きさを調整することができるため、受信回路におけるノイズを減少することができ、受信性能を向上することができる。その結果、盗難防止効果を高めることができる等、本発明は優れた効果を奏する。
【図面の簡単な説明】
【図１】本発明の盗難防止システムの使用状態を説明する模式図である。
【図２】ゲートパネルの正面図である。
【図３】ゲートパネル１の内部構造を示した模式図である。
【図４】２つの受信用アンテナの連結部分の構成を示す模式図である。
【図５】盗難防止システムのブロック図である。
【図６】ゲートパネルが発信するコード信号の構成例を説明する説明図である。
【図７】ゲートパネルが発信するコード信号の構成例を説明する説明図である。
【図８】スタートビットの構成例を説明する説明図である。
【図９】アンテナ出力部の詳細を示すブロック図である。
【図１０】アンテナ出力部に入力される信号の一例を示す波形図である。
【図１１】盗難防止タグが受信した信号を処理する手順を示したフローチャートである。
【図１２】従来の盗難防止システムを説明する模式図である。
【符号の説明】
１  ゲートパネル
１１  信号生成回路
１２  アンテナ出力部
１３  アンテナ入力部
１４  信号処理部
１５  駆動部
１６  ブザー
１７  ＬＥＤ
２    盗難防止タグ
２１  アンテナ入力部
２２  コード識別部
２３  入力部
２４  検出部
２５  信号処理部
２６  駆動部
２７  ブザー
２８  ＬＥＤ
２９  信号生成回路
３０  アンテナ出力部
１０５  送信用アンテナ
１０６ａ  受信用アンテナ
１０６ｂ  受信用アンテナ
１０９  蝶番
１１０  結束部材
【図１】
0004723773.tif 000002
【図２】
0004723773.tif 000003
【図３】
0004723773.tif 000004
【図４】
0004723773.tif 000005
【図５】
0004723773.tif 000006
【図６】
0004723773.tif 000007
【図７】
0004723773.tif 000008
【図８】
0004723773.tif 000009
【図９】
0004723773.tif 000010
【図１０】
0004723773.tif 000011
【図１１】
0004723773.tif 000012
【図１２】
0004723773.tif 000013